(57)【要約】【課題】簡単な構造を持ち、乾燥土砂を２０ｍ〜３０ｍの距離飛ばすことができ、とくに、軟弱地盤上に土砂を薄く散布するのに適した土砂空中散布装置を提供する。【解決手段】本発明に係る土砂空中散布装置１０は、土砂搬送用駆動ベルト１と、土砂搬送用駆動ベルト１の土砂放出端近傍においてベルト１を押圧する土砂放出ローラ２を有する。土砂搬送用駆動ベルト１は、二つのプーリー３１と３２との間に懸架されており、土砂放出端側のプーリー３２は、電動可変モーター４と駆動ベルト５によって回転し、土砂搬送用駆動ベルト１を移動するように構成されている。【選択図】    図１
2004176485.tif 000002
【特許請求の範囲】
【請求項１】
二つのプーリーの間に懸架された土砂搬送用駆動ベルトと、
この土砂搬送用駆動ベルトの土砂放出端近傍において、前記土砂搬送用駆動ベルト上に配置された土砂放出ローラとを有し、
前記土砂搬送用駆動ベルトは、少なくとも、土砂放出端において、上方に傾斜せしめた土砂空中散布装置。
【請求項２】
土砂放出ローラが、土砂搬送用駆動ベルトとは別個に駆動されるものである請求項１に記載の土砂空中散布装置。
【請求項３】
土砂放出ローラが、土砂搬送用駆動ベルトに従動されるものである請求項１に記載の土砂空中散布装置。
【請求項４】
土砂放出ローラが両端のフランジの間に取り付けられたドラムからなり、
両端のフランジが土砂搬送用駆動ベルト表面を押し付け、そのドラムの下面と土砂搬送用駆動ベルト表面と間に空間が形成される請求項１に記載の土砂空中散布装置。
【請求項５】
装置全体が、傾動可能なプラットフォーム上に一体的に載置された請求項１に記載の土砂空中散布装置。
【請求項６】
装置全体が、自走車に載置可能な請求項５に記載の土砂空中散布装置。
【発明の詳細な説明】
【０００１】
【発明の属する技術分野】
本発明は、軟弱地盤上に細粒土砂を薄く投射散布するのに適した土砂空中散布装置に関する。
【０００２】
【従来の技術】
このような土砂空中散布装置としては、下記の特許文献１と特許文献２に記載されているように、搬送されてきた土砂をローラー間、或いは、上下の搬送ベルト間に挟み込んで放出するジェットコンベヤーが知られている。そして、土砂の散布の実働に際しては、このジェットコンベヤーをトラック、ブルトーザーのような土工機械あるいは水搬送装置に牽引あるいは搭載して行われる。
【０００３】
【特許文献１】
特開昭５１−５３７０８号公報
【０００４】
【特許文献２】
特開昭５３−６２３０９号公報
【０００５】
【発明が解決しようとする課題】
この従来のジェットコンベヤーは、軟弱地盤上に細粒土砂を薄く投射散布するための機械としては、構造が複雑でコスト高であり、その上、散布容量が大きく散布する土砂の厚みにバラツキが生じ、計画された厚さに仕上げるには、散布する土砂の量に無駄を生じ割り増しも大きくなるという欠点がある。
【０００６】
本発明の目的は、簡単な構造を持ち、小型で、乾燥土砂を２０ｍ〜３０ｍの距離飛ばすことができ、とくに、軟弱地盤上に土砂を薄く散布するのに適した土砂空中散布装置を提供することにある。
【０００７】
【課題を解決するための手段】
本発明の土砂空中散布装置は、二つのプーリーの間に懸架された土砂搬送用駆動ベルトと、この土砂搬送放出用駆動ベルトの土砂放出端近傍において、土砂搬送放出用駆動ベルト上に配置された土砂放出ローラとを有し、前記土砂搬送用駆動ベルトは、少なくとも、土砂放出端において、上方に傾斜せしめたことを特徴とする。
【０００８】
土砂の放出角度と距離は、土砂搬送用駆動ベルト上に積載される砂（細土砂）の量にもよるが、土砂搬送用駆動ベルトの土砂放出端部における角度と、土砂搬送放出用駆動ベルトの移動速度と土砂放出ローラの周速を調整することによって制御する。
【０００９】
本発明の土砂空中散布装置には、投入土砂搬送ベルトのような外方から供給される土砂供給手段からの土砂を定量の割合で供給する定量供給ホッパーが設けられており、このホッパーからの土砂が土砂搬送用駆動ベルト上に一定割合で供給され、その土砂搬送用駆動ベルトの土砂放出端付近に設けられた土砂放出ローラと協働して、所定の角度で、土砂を放出する。
【００１０】
土砂放出ローラは、それ自体が駆動される駆動ローラとすることができるが、土砂搬送用駆動ベルトとの接触摩擦によって従動する従動ローラとしても、土砂搬送用駆動ベルトとの協働によってベルト上の土砂を充分空中に放出し、散布できる。土砂放出ローラを、駆動ローラとする場合には、その周速を土砂搬送用駆動ベルトの移動速度より早くすることによって、より遠く土砂を放出できる。
【００１１】
この土砂搬送用駆動ベルトの土砂放出端部における放出角は、ベルト自身の配置角度あるいは、その近傍に配置する土砂放出ロ−ラのベルト面への押し付け程度によって調整できる。さらには、その装置全体を角度調整が可能なプラットフォームに一体的に載置し、このプラットフォームの角度を調整することで、さらに、土砂の放出角を調整できる。
【００１２】
さらに、土砂放出ローラの両端にフランジを形成し、これによって、土砂搬送用駆動ベルト上の砂の積載巾を調整して、土砂の放出方向の精度を高めるようにすることもできる。さらには、土砂放出ローラを両端のフランジの間に形成したドラムから構成することによって、両端のフランジが土砂搬送用駆動ベルト表面を押し付け、そのドラムの下面とベルト表面との間に空間が存在することになるので土砂の量を定量化して、土砂の放出距離をより正確にすることが可能になる。また、ドラムの表面には或程度の弾力を持たせることができる。
【００１３】
本発明の土砂空中散布装置は、無限軌道を備えた台車あるいは自走車の上に搭載され、軟弱地盤上でも任意の場所に移動できるようにして、土砂の散布作業を効率化できる。
【００１４】
【発明の実施の形態】
以下、本発明の実施の形態を、添付図に示す土砂放出ローラを従動タイプとした実施例に基づいて説明する。
【００１５】
図１は本発明に係る土砂空中散布装置の側面図であり、図２は図１の矢印Ａ−Ａから正面図である。
【００１６】
図１と図２において、１０は本発明に係る土砂空中散布装置であって、土砂搬送用駆動ベルト１と、土砂搬送用駆動ベルト１の土砂放出端近傍において土砂搬送用駆動ベルト１を押圧する土砂放出ローラ２を有する。この土砂空中散布装置１０は、角度調整可能なプラットホーム７に一体的に載置されており、プラットホーム７の角度を調整することで、土砂の放出角を調整できる。
【００１７】
土砂搬送用駆動ベルト１は、二つのプーリー３１と３２との間に懸架されており、土砂放出端側のプーリー３２は、電動可変モーター４と駆動ベルト５によって回転し、土砂搬送用駆動ベルト１を移動するように構成されている。
【００１８】
土砂放出ローラ２は、両端のフランジ２１，２１とこのフランジ２１，２１の間に取り付けられたドラム２２からなる。
【００１９】
土砂空中散布装置１０に投入される土砂は、他の場所から搬送されてきた土砂を投入する土砂投入装置６によって投入される。この土砂投入装置６は、一次ホッパー６１と投入土砂搬送ベルト６２を有し、この投入土砂搬送ベルト６２からの投入土砂を自然落下によって二次ホッパー６３に一旦収納する。この２次ホッパー６３に収納された土砂は、その下部を１８０°自在に電動で回転可能としたシュータ（図示せず）により、１ヶ所から扇状にまき出すことができる。この二次ホッパー６３から定量の土砂を連続して、土砂空中散布装置１０の土砂搬送用駆動ベルト１上に供給する。
【００２０】
土砂搬送用駆動ベルト１に供給された土砂は、土砂搬送用駆動ベルト１の上に薄く積載されて土砂放出端の方向に搬送され、その土砂放出端に配置された土砂放出ローラ２と協働して、搬送土砂を空中に放出する。
【００２１】
図３は、矢印で示す放出土砂の放出角αの形成機構を示す。
【００２２】
同図において、土砂放出ローラ２のフランジ２１はベルト駆動プーリー３２の近傍の土砂搬送用駆動ベルト１を押圧し、これによって、その部分の土砂搬送用駆動ベルト１は押し付けられてベルト表面に水平に対して上方に傾斜している。
そして、電動可変モーター４の回転速度の調整によって、土砂搬送用駆動ベルト１上の土砂Ｓは、放出角αの方向に放出される。この放出土砂を効率よく、所定角度で放出するためには、土砂放出ローラ２の機能が大きく影響する。
【００２３】
図４は、この土砂放出ローラ２の機能を説明する図であり、土砂搬送用駆動ベルト１の正面から見た図である。
【００２４】
同図において、土砂放出ローラ２のドラム２２の下面と土砂搬送用駆動ベルト１表面との間に空間が形成され、その空間に土砂Ｓが存在している。この空間の大きさ（クリアランス）を調整することで、土砂の放出距離を調整することができる。土砂Ｓを土砂搬送用駆動ベルト１と協働して放出するためには、ドラム２２の表面を弾力を持たせた構造にするのが好ましい。
【００２５】
このような構造を持つ土砂空中散布装置１０においては、電動可変モーター４により駆動されるプーリー３２の回転により土砂搬送用駆動ベルト１も高速回転しているので土砂搬送用駆動ベルト１上に積載した土砂は、放出位置で土砂放出ローラ２と土砂搬送用駆動ベルト１の間に挟まれて空中へ飛び出し、予定地域に散布される。
【００２６】
土砂が飛び出す距離は土粒子の粒径にも左右されるがその調整はプーリー３２の回転を制御することにより３ｍ〜３０ｍの間で自在に変えられる。また、２次ホッパー６３の下部を１８０°の範囲内で回動自在にすることにより、供給土砂をベルト上の任意の箇所に積載することができ、放出土砂を１箇所から、扇状区域まで、散布することが可能になる。
【００２７】
【発明の効果】
本発明の土砂空中散布装置は、構造が簡単であり、且つ、土砂を必要な厚さで、必要な距離散布できる。
【００２８】
湿地などへの土砂散布に際しては、本願装置を適当な移動装置に搭載して散布現場に移動可能とすることによって、特別な仮設備を必要とせず直ちに工事が着手可能である。
【００２９】
さらに、本願装置は砂だけではなく大礫の交じらない砂利、普通土砂にも適用できる。
【図面の簡単な説明】
【図１】本発明に係る土砂空中散布装置を側面から見た構成図を示す。
【図２】図１の矢印Ａ−Ａから正面図である。
【図３】土砂放出部位の説明図である。
【図４】土砂放出ローラの土砂搬送用駆動ベルトの移動方向から見た作働図を示す。
【符号の説明】
１０  土砂空中散布装置
１  土砂搬送用駆動ベルト
２  土砂放出ローラ
２１  フランジ    ２２  ドラム
３１，３２  プーリー
４  電動可変モーター
５  駆動ベルト
６  土砂投入装置
６１  一次ホッパ      ６２  投入土砂搬送ベルト
６３  二次ホッパ
７  プラットホーム
α  土砂の放出角
Ｓ  放出土砂
【図１】
2004176485.tif 000003
【図２】
2004176485.tif 000004
【図３】
2004176485.tif 000005
【図４】
2004176485.tif 000006